(57)【特許請求の範囲】
【請求項１】
方形の遮熱板と、該遮熱板の下方に配置され、中央部にモータ収納用の空間を形成するための下方に突出した膨出部を形成するとともに、該膨出部を囲むように外周方向に向かって下向きに傾斜した傾斜部を形成した方形の反射板と、該反射板の前記膨出部内に設置され、回転軸を前記反射板を貫通させて下向きに配置したモータと、前記回転軸に取り付けられたファンと、前記反射板の下方に設置したヒータと、前記ファン並びに前記ヒータを覆う保護ガードとを備え、前記遮熱板と反射板の間に、前記膨出部によってモータ収納用空間を形成し、前記傾斜部によって周囲空間を形成した温風ヒータユニットにおいて、前記モータ収納用空間と前記周囲空間を連通するように、前記膨出部を介在して前記傾斜部の対向する部分を連絡する横長ダクト部を前記反射板の対角線方向で且つ反射板と一体的に形成するとともに、この横長ダクト部にその内外を連絡する通気孔を前記ファンの近傍に位置して形成したことを特徴とする温風ヒータユニット。
【請求項２】
前記通気孔は、前記モータのコイルの直下に設けたことを特徴とする請求項１に記載の温風ヒータユニット。
【請求項３】
前記周囲空間の内外を連通する開口部を前記温風ヒータユニットのコーナー部に形成したことを特徴とする請求項１に記載の温風ヒータユニット。
【請求項４】
前記横長ダクト部と連通した前記反射板の上方空間に温度検出素子を配置したことを特徴とする請求項１に記載の温風ヒータユニット。
【発明の詳細な説明】
【０００１】
【産業上の利用分野】
本発明は、ヒータによって暖められた空気をファンの回転によって温風化して供給する温風ヒータユニットに関する。
【０００２】
【従来の技術】
従来の温風ヒータユニットは、例えば実開平１−３１２３５５号公報に示されるように、ファンを回転するためのモータをヒータの熱から保護するために反射板の上方に配置している。すなわち、反射板の中央部分を下向きに突出させてモータ収納用空間を形成し、回転軸を反射板の下面を貫通させた状態でこの収納空間にモータを配置している。また、反射板の上面にヒータやモータの制御用電気部品を取り付けている。
【０００３】
しかしながら、従来の反射板によって形成されたモータ収納空間は、上面が遮熱板によって塞がれてほぼ密閉状態となっていて放熱性が良くない構造になっているので、ヒータから受ける熱やモータ自体から発生する熱が蓄積されてモータが高温に加熱されやすく、モータの性能劣化が生じやすいという問題がある。また、反射板と遮熱板によって形成される前記モータ収納用空間以外の空間部分も密閉状態に近い状態にあるため、反射板の上面に取り付けた電気部品もモータの場合と同様に高温状態に保持され、これらの電気部品にも性能劣化が生じやすいという問題がある。
【０００４】
【発明が解決しようとする課題】
本発明は上記の点を考慮して成されたものであり、反射板と遮熱板の間に形成される空間に配置されるモータ、その他の電気部品の熱保護を図ることを主な課題とする。また、反射板の強度を高めること、暖房効果を高めることも課題の１つに挙げられる。
【０００５】
【課題を解決するための手段】
本発明は、方形の遮熱板と、該遮熱板の下方に配置され、中央部にモータ収納用の空間を形成するための下方に突出した膨出部を形成するとともに、該膨出部を囲むように外周方向に向かって下向きに傾斜した傾斜部を形成した方形の反射板と、該反射板の前記膨出部内に設置され、回転軸を前記反射板を貫通させて下向きに配置したモータと、前記回転軸に取り付けられたファンと、前記反射板の下方に設置したヒータと、前記ファン並びに前記ヒータを覆う保護ガードとを備え、前記遮熱板と反射板の間に、前記膨出部によってモータ収納用空間を形成し、前記傾斜部によって周囲空間を形成した温風ヒータユニットにおいて、前記モータ収納用空間と前記周囲空間を連通するように、前記膨出部を介在して前記傾斜部の対向する部分を連絡する横長ダクト部を前記反射板の対角線方向で且つ反射板と一体的に形成するとともに、この横長ダクト部にその内外を連絡する通気孔を前記ファンの近傍に位置して形成した構成としたものである。
【０００６】
また、前記通気孔は前記モータのコイルの直下に設けることが好ましい。
【０００８】
また、前記周囲空間の内外を連通する開口部を前記温風ヒータユニットのコーナー部に形成することが好ましい。
【０００９】
また、前記横長ダクト部と連通した前記反射板の上方空間に温度検出素子を配置することが好ましい。
【００１０】
【作用】
本発明は、反射板と遮熱板の間に形成されるモータ収納用空間と周囲空間を連通するように、膨出部を介在して傾斜部の対向する部分を連絡する横長ダクト部を反射板の対角線方向に一体的に形成するとともに、この横長ダクト部にその内外を連絡する通気孔を前記ファンの近傍に位置して形成したので、ファンを回転させると、前記横長ダクト部と通気孔の存在によってモータ収納用空間と周囲空間を連通する空気の流れが生じ、この空気の流れによってモータ収納用空間内の放熱が行われ、モータの温度上昇を抑える作用を奏する。
【００１１】
また、前記通気孔を前記モータのコイルの直下に設けることによって、最も発熱量の多いモータのコイル部分の放熱を効率的に行うことが可能となる。
【００１２】
また、前記横長ダクト部を前記反射板の対角線方向に形成することによって、モータ周囲空間をより大きく確保し、熱の蓄積を抑えることができるとともに、反射板の強度をより高めることが可能となる。
【００１３】
また、前記周囲空間の内外を連通する開口部を温風ヒータユニットのコーナー部に形成することによって、横長ダクト部を通る空気の流れを促進することが可能となる。
【００１４】
また、前記横長ダクト部と連通した前記反射板の上方空間に温度検出素子を配置することによって、温度検出素子による外気温度の正確な検出を可能とし、ヒータの通電を外気温度に基づき行って暖房効果を高めることが可能となる。
【００１５】
【実施例】
以下本発明の実施例を図面を参照して説明する。温風ヒータユニット１は、図１〜図２に示すように平面形状が長方形を成しており、図３に示すように、上面に平面形状が長方形の合板製遮熱板２を配置し、その下面に平面形状が長方形の鉄板製反射板３を配置し、下面に平面形状が長方形の保護ガード４を配置し、前記遮熱板２と反射板３の間の空間にモータ５を配置し、反射板３と保護ガード４の間の空間にファン６とヒータ７を配置している。
【００１６】
前記反射板３は、プレス加工によって図３に示すようにその中央部に下方に膨出した膨出部８を一体形成し、図２〜３に示すように、この膨出部８を囲むように周囲に向かって下向きの傾斜を有する傾斜部９を環状に一体形成し、この環状傾斜部９の下端縁から周囲方向に平坦部１０を一体形成している。反射板３の周囲の４側面は上向きに立上げ形成された側壁１１によって形成され、各側壁１１の上部には、外側に延びるフランジ部１２が形成されている。そして、遮熱板２と反射板３の間には、反射板３の前記膨出部８の存在によってモータ５を収納するためのモータ収納空間１３が形成され、その周囲には反射板３の前記環状傾斜部９と平坦部１０と側壁１１の存在によって環状の周囲空間１４が形成される。このモータ収納空間１３と周囲空間１４を連通するため、反射板３には、図２，４に示すように前記膨出部８を介在して傾斜部９の対向する部分を連絡する縦断面が略Ｕ形状の横長ダクト部１５を反射板３の対角線方向に向けて一体形成している。反射板３は、横長ダクト部１５をその対角線方向に形成し、横長ダクト部１５の両側壁部を遮熱板２の下面付近まで立ち上げることによってその平面強度を高めることができる。
【００１７】
この横長ダクト部１５は、モータ６の高さ寸法と同程度の風通路を確保するため、図４に示すようにその下面が前記膨出部８の下面と同等な位置となるように形成されており、前記膨出部８をほぼ包含する形状を成している。前記膨出部８の下面、すなわち横長ダクト部１５の下面には、図４に示すように、モータ５のコイル１６の直下に位置して開口した通気孔１７を形成している。
【００１８】
前記モータ収納空間１３に配置固定したモータ５の回転軸１８は、反射板３を貫通して下方に突出しており、この回転軸１８にプロペラ型のファン６が取り付けられている。このファン６はモータ５の回転によって反射板３下面付近から吸い込んだ空気を反射板３の直下に向けて吹き出すように構成している。
【００１９】
反射板３の下面には、図２に示すように、ファン６並びに前記環状傾斜部９と同心円を成す円形のヒータ７を取り付けている。このヒータ７は、前記ファン６の外形よりも大きな内径を有した例えば石英管式のランプヒータで構成されており、支持金具１９，２０によって横長ダクト部１５の下面に固定している。前記ファン６とヒータ７の上下関係は、ヒータ７よりもファン６が若干下方になるように設定している。
【００２０】
前記モータ５やヒータ７を動作させ、あるいは制御するための種々の電気部品を図３，４に示すように、プリント基板２１に取り付けて前記反射板３の平坦部１０の上面に配置している。電気部品の１つである温度検出用の正特性サーミスタからなる温度検出素子２２は、ヒータ７の輻射熱が遮られ、かつ風によって冷却されやすいように、支持金具１９の裏側の横長ダクト部１５内に配置しているので、温風ヒータユニット１内部にこもった熱による影響を少なくして温風ヒータユニット１の外の温度を正確に検出することができる。
【００２１】
前記温風ヒータユニット１の下面を覆う保護ガード４は、図１，３，５に示すように、前記環状傾斜部９と対応する位置にその外径と同等寸法の円形開口を形成した鉄板製のガード枠体２３と、前記ファン６，ヒータ７の下面を覆うように前記円形開口部分に取り付けられた網状ガード２４とによって構成している。この網状ガード２４は、周囲から中心に向かって下向きに傾斜した環状側面体２５と、この環状側面体２５の下端面に位置する平坦な円形下面体２６とによって構成される。環状側面体２５は、ファン６への吸気が阻害されず、かつヒータ７から発せられる輻射熱が遮光されないように開口率を高く設定するべく、複数の鉄製線材を放射状に配置して加工したものを用いて構成している。円形下面体２４は、ヒータ７から発せられる輻射熱が遮光されないように、かつファン６による送風が阻害されないように、開口率を高く設定すべく、ラス網を用いて構成している。そして、この保護ガード４は、その外周上端部が前記反射板３のフランジ１２部分の下側に当てられて、ネジによって反射板３とともに遮熱板２に固定される。
【００２２】
前記横長ダクト部１５の延長線上に位置する温風ヒータユニット１のコーナ部には、前記周囲空間１４と温風ヒータユニット１の外とを連通するための開口部２７を形成している。
【００２３】
上記のように構成された温風ヒータユニット１は、図６に示すように、テーブル２８の天面２９の下面中央部に取り付けられて使用される。このテーブル２８は、布団を掛けてコタツとしても使用できるが、ここでは布団を掛けないで温風テーブルとして使用する場合について説明する。
【００２４】
温風ヒータユニット１に電源供給してモータ５，ヒータ７に通電すると、モータ５がファン６の回転駆動を開始するとともに、ヒータ７が発熱を開始する。ファン６の回転により、真下に向けての送風が行われ、網状ガード２４の円形下面体２６を通って温風ヒータユニット１の下面から真下方向への送風が行われる。ファン６の回転に伴い、ファン６の上方が負圧状態となるため、周囲の空気がファン６の上方に吸い寄せられる。吸い寄せられる空気の流れの１つは、網状ガード２４の環状側面体２５を通り、ヒータ７の周囲を通過する。そして、ヒータ７の周囲を通過する際に加熱されて温風化される。吸い寄せられる空気の流れの別の１つは、主に温風ヒータユニット１のコーナー部に設けた開口部２７を通って温風ヒータユニット１の周囲空間１４内に入り込み、横長ダクト部１５に形成した通気孔１７を通って流れる。この温風ヒータユニット１の周囲空間１４内に入り込んだ空気の流れの１つは、横長ダクト部１５を通過する際にその中に配置したモータ５を全体的に冷却する。特に、発熱量の多いモータ５のコイル部１６を空気の流れる量が多い通気孔１７の真上に近接して配置しているので、モータ５の冷却を効率よく行うことができる。温風ヒータユニット１の周囲空間１４内に入り込んだ空気の流れの別の１つは、反射板３の平坦部１０上を通過する際に、そこに配置したプリント基板２１に取り付けた電気部品を冷却する。ここで、通気孔１７までの距離がプリント基板２１（電気部品）よりもモータ５の方が短くなるように設定しているので、モータ１６の熱による電気部品の加熱を防止することができる。
【００２５】
また、温度検出素子２２を、ヒータ７の輻射熱が遮られ、しかも温風ヒータユニット１外からの空気の流れ込みがある横長ダクト部１５に配置しているので、温度検出素子２２によってヒータユニット１の外の温度をより正確に検出でき、この温度検出素子２２を用いてヒータ７の温度制御を行う場合にヒータユニット１の外の温度に応じた制御を行うことができる。特に、布団を掛けないで使用する場合は、温風による暖房の他に輻射熱による暖房が不可欠であるため、ヒータ７の通電状態を最大の状態に維持して輻射熱をより多く発生させる必要がある。従来のものは、周囲空間１４に空気の流れがほととんどなく、布団を掛けない状態であってもそこに配置した温度検出素子の温度が時間の経過とともに上昇しやすい構造であったため、温度検出素子の温度上昇に伴ってヒータ７への通電量を大幅に減少する制御が行われやすく、周囲温度が低いにもかかわらず十分な温風温度や輻射熱量が得られないという欠点があったが、本実施例は、上記のようにヒータ７の熱影響を少なくして温度検出素子２２の温度上昇を抑える構造としているので、ヒータ７の通電量を大きい状態に維持することができ、布団を掛けない場合においても温風温度と輻射熱量を高い状態に保って暖房効果を高めることができる。
【００２６】
【発明の効果】
以上のように本発明は、反射板と遮熱板の間に形成されるモータ収納用空間と周囲空間を連通するように、膨出部を介在して傾斜部の対向する部分を連絡する横長ダクト部を反射板の対角線方向で且つ反射板と一体的に形成するとともに、この横長ダクト部にその内外を連絡する通気孔を前記ファンの近傍に位置して形成したので、ファンを回転させると、前記横長ダクト部と通気孔の存在によってモータ収納用空間と周囲空間を連通する空気の流れが生じ、この空気の流れによってモータ収納用空間内の放熱が促進され、モータの温度上昇を抑えてその性能劣化を防止することができる。
【００２７】
また、前記通気孔を前記モータのコイルの直下に設けることによって、最も発熱量の多いモータのコイル部分の放熱を効率的に行うことが可能となる。
【００２８】
また、前記横長ダクト部を前記反射板の対角線方向に形成することによって、モータ周囲空間をより大きく確保し、熱の蓄積を抑えることができるとともに、反射板の強度をより高めることが可能となる。
【００２９】
また、前記周囲空間の内外を連通する開口部を反射板のコーナー部に形成することによって、横長ダクト部を通る空気の流れを促進することが可能となる。
【００３０】
また、前記横長ダクト部と連通した前記反射板の上方空間に温度検出素子を配置することによって、温度検出素子による外気温度の正確な検出を可能とし、ヒータの通電を外気温度に基づき行って暖房効果を高めることが可能となる。
【図面の簡単な説明】
【図１】本発明の一実施例を示す温風ヒータユニットの底面図である。
【図２】同実施例の保護ガードを外した状態の温風ヒータユニットの底面図である。
【図３】図１のＡ−Ａ’断面図である。
【図４】図２のＢ−Ｂ’断面図である。
【図５】同実施例の保護ガードの側面図である。
【図６】同温風ヒータユニットをテーブルに取り付けた使用状態を示す一部破断側面図である。
【符号の説明】
１    温風ヒータユニット
２    遮熱板
３    反射板
４    保護ガード
５    モータ
６    ファン
７    ヒータ
８    膨出部
９    傾斜部
１３    モータ収納空間
１４    周囲空間
１５    横長ダクト部
１６    モータコイル
１７    通気孔
１８    回転軸
２２    温度検出素子
２７    開口部
【図１】
0003553636.tif 000002
【図２】
0003553636.tif 000003
【図３】
0003553636.tif 000004
【図４】
0003553636.tif 000005
【図５】
0003553636.tif 000006
【図６】
0003553636.tif 000007